【事件の表示】
　特願２０１４−５２９８５５「光スプリッタを伴うデジタルカメラ」拒絶査定不服審判事件〔平成２５年　３月１４日国際公開、ＷＯ２０１３／０３６６４８、平成２６年１０月　６日国内公表、特表２０１４−５２６８２５〕について、次のとおり審決する。
【結　論】
　本件審判の請求は、成り立たない。
【理　由】
第１　経緯
１　経緯
　本件出願は、２０１２年（平成２４年）９月６日（パリ条約による優先権主張外国庁受理２０１１年９月９日、米国）を国際出願日とする出願であって、平成２７年２月２６日付けで拒絶理由の通知がなされ、これに対し、平成２７年８月４日付けで手続補正がなされたが、平成２７年１２月１８日付け（発送日同年１２月２４日）で拒絶査定がなされた。
　本件は、上記拒絶査定を不服として平成２８年４月２５日付けで請求された拒絶査定不服審判であり、請求と同時に手続補正がなされた。
　　
２　査定の概要
　原査定の理由は、概略、次のとおりである。
　　
［査定の理由］
　この出願の請求項１〜２２に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　記
　引用文献１：特開２００８−２２４９０８号公報
　引用文献２：特開２００４−３５５０１０号公報
　引用文献３：特開２００３−４３３５４号公報
　引用文献４：特開２００８−１３９８９３号公報
　引用文献５：特開平６−２０９０９４号公報（周知技術）
　引用文献６：特開平７−１０６５３８号公報（周知技術）
　引用文献７：特開平７−４６６０８号公報（周知技術）
　引用文献８：特開２００８−２１０９０４号公報（周知技術）
　　
第２　補正却下の決定
　平成２８年４月２５日付けの手続補正について次のとおり決定する。
 　 
［補正却下の決定の結論］
　平成２８年４月２５日付けの手続補正を却下する。
　　
［理由］
１　補正の内容
　平成２８年４月２５日付けの手続補正（以下「本件補正」という。）は、特許請求の範囲についてする補正である。
　　
　補正前の請求項１〜２２
「　【請求項１】
　デジタルカメラのコンポーネントであって、
　カメラシーンからの入射光を受け取る入射面を有する光スプリッタキューブであって、入射光を、前記光スプリッタキューブから、前記光スプリッタキューブの第１の面、第２の面、及び第３の面を通ってそれぞれ出てくる、第１、第２、及び第３の色成分に分離する、光スプリッタキューブと、
　第１、第２、及び第３の画像センサであって、前記画像センサのそれぞれが、前記光スプリッタキューブの前記第１の面、前記第２の面、及び前記第３の面から出てくる前記色成分のうちの対応する１つを受け取るように配置される、画像センサと、
　を備え、
　前記画像センサのそれぞれは、マイクロレンズによって覆われているがカラーフィルタは伴わないフォトセルのアレイを有する透明な画像センサである、コンポーネント。
　　【請求項２】
　前記光スプリッタキューブが、本質的に同一サイズの第１、第２、第３、及び第４の透明な多面体を備え、前記透明な多面体のそれぞれは、直角二等辺三角形の底部、直角二等辺三角形の頂部、及び当該直角二等辺三角形の底部及び当該直角二等辺三角形の頂部の対応する辺を結合する３つの面を有し、前記３つの面は斜辺面、左脚面、及び右脚面である、請求項１に記載のデジタルカメラのコンポーネント。
　　【請求項３】
　前記第１の透明な多面体の前記斜辺面が、前記光スプリッタキューブの前記入射面であり、
　前記第１の透明な多面体の前記右脚面が、前記第２の透明な多面体の前記左脚面に第１のダイクロイック界面において隣接し、前記第１のダイクロイック界面が、前記第３の色成分を前記第１の透明な多面体内に反射し、前記第１及び第２の色成分を前記第２の透明な多面体内へ透過させ、
　前記第１の透明な多面体の左脚面が、前記第４の透明な多面体の前記右脚面に第２のダイクロイック界面において隣接し、前記第２のダイクロイック界面が、前記第１の色成分を前記第１の透明な多面体内に反射し、前記第２及び第３の色成分を前記第４の透明な多面体内へ透過させる、請求項２に記載のデジタルカメラのコンポーネント。
　　【請求項４】
　前記カメラシーンからの前記入射光を偏向させるように配置される偏向器と、
　前記偏向器と前記光スプリッタキューブの前記入射面との間の偏向入射光の経路内に配置される光学レンズ系と、を更に備える、請求項１に記載のデジタルカメラのコンポーネント。
　　【請求項５】
　前記偏向器が、前記入射光を約９０度だけ偏向するように方向付けられている、請求項４に記載のデジタルカメラのコンポーネント。
　　【請求項６】
　前記偏向器、光学レンズ系、光スプリッタキューブ、及び画像センサのｚ高さが、３ｍｍ〜９ｍｍの範囲である、請求項４に記載のデジタルカメラのコンポーネント。
　　【請求項７】
　前記偏向器、光学レンズ系、光スプリッタキューブ、及び画像センサのｘ長さが、１８ｍｍ〜３２ｍｍの範囲である、請求項６に記載のデジタルカメラのコンポーネント。
　　【請求項８】
　前記光学レンズ系が、ズームレンズである、請求項４に記載のデジタルカメラのコンポーネント。
　　【請求項９】
　前記光学レンズ系が、自動焦点レンズである、請求項４に記載のデジタルカメラのコンポーネント。
　　【請求項１０】
　前記光学レンズ系が、固定焦点レンズである、請求項４に記載のデジタルカメラのコンポーネント。
　　【請求項１１】
　前記偏向器が、電動アクチュエータによって自動制御下で傾斜又は回転されるように結合された折り畳みミラーを光学画像安定化（ＯＩＳ）メカニズムの一部として備える、請求項４に記載のデジタルカメラのコンポーネント。
　　【請求項１２】
　前記画像センサのそれぞれが、ａ）前記センサの背後に配置されたプリント回路支持体に電気的に接続されており、ｂ）前記センサの前方に配置された透明なカバープレートであって、前記カバープレートと前記マイクロレンズとの間に空隙を残すカバープレート、によって保護されている、請求項４に記載のデジタルカメラのコンポーネント。
　　【請求項１３】
　デジタルカメラモジュールであって、
　前記デジタルカメラモジュールを内部に組み込んだ、カメラモジュール筐体と、
　カメラシーンからの入射光を偏向するように配置される偏向器と、
　偏向された入射光を受け取る入射面を有する光スプリッタキューブであって、前記偏向された入射光を第１、第２、及び第３の色成分に分離し、本質的に同一の第１、第２、第３、及び第４の透明な多面体から構成され、前記透明な多面体のそれぞれが、直角二等辺三角形の底部、直角二等辺三角形の頂部、並びに前記直角二等辺三角形の底部及び前記直角二等辺三角形の頂部の対応する辺を結合する３つの面を有し、前記３つの面が、斜辺面、左脚面、及び右脚面であり、前記第１の透明な多面体の前記斜辺面は前記光スプリッタキューブの前記入射面であり、前記第１の透明な多面体の前記右脚面が、前記第２の透明な多面体の前記左脚面に第１のダイクロイック界面において隣接し、前記第１のダイクロイック界面が、前記第３の色成分を前記第１の透明な多面体内に反射し、前記第１及び第２の色成分を前記第２の透明な多面体内へ透過させ、前記第１の透明な多面体の前記左脚面が、前記第４の透明な多面体の前記右脚面に第２のダイクロイック界面において隣接し、前記第２のダイクロイック界面が、前記第１の色成分を前記第１の透明な多面体内に反射し、前記第２及び第３の色成分を前記第４の透明な多面体内へ透過させ、前記光スプリッタキューブが、更に、第１の出射面、第２の出射面、及び第３の出射面を有する、光スプリッタキューブと、
　第１、第２、及び第３の画像センサであって、それぞれ前記第１、第２、及び第３の出射面に面するように配置される第１、第２、及び第３の画像センサであって、前記画像センサのそれぞれは、マイクロレンズによって覆われているがカラーフィルタは伴わないフォトセルのアレイを有する透明な画像センサである、第１、第２、及び第３の画像センサと、
　前記偏向器と前記光スプリッタキューブの前記入射面との間の前記偏光された入射光の経路内に配置される光学レンズ系と、
　を備える、デジタルカメラモジュール。
　　【請求項１４】
　前記偏向器が、前記入射光を約９０度だけ偏向するように方向付けられている、請求項１３に記載のデジタルカメラモジュール。
　　【請求項１５】
　前記偏向器、光学レンズ系、光スプリッタキューブ、及び画像センサのｚ高さが、３ｍｍ〜９ｍｍの範囲である、請求項１４に記載のデジタルカメラモジュール。
　　【請求項１６】
　前記偏向器、光学レンズ系、光スプリッタキューブ、及び画像センサのｘ長さが、１８ｍｍ〜３２ｍｍの範囲である、請求項１４に記載のデジタルカメラモジュール。
　　【請求項１７】
　平凹レンズであって、平面側が、前記カメラシーンに面し、前記カメラシーンからの前記入射光を前記偏向器まで移動するように配置される、平凹レンズと、
　凹凸レンズであって、凸状側が、前記偏向器に面し、前記偏向器と前記光学レンズ系との間に配置される、凹凸レンズと、
　を更に備える、請求項１４に記載のデジタルカメラモジュール。
　　【請求項１８】
　ポータブル無線通信デバイスであって、
　外部筐体と、
　前記外部筐体の内部に組み込まれたセルラーネットワーク無線通信回路構成と、
　前記外部筐体の内部に組み込まれたデジタルカメラであって、カメラシーンからの入射光を約９０度だけ偏向するように配置される偏向器と、偏向光を受け取る入射面を有する光スプリッタキューブであって、偏光された入射光を、第１の出射面、第２の出射面、及び第３の出射面を通ってそれぞれ出てくる、第１、第２、及び第３の色成分に分離する、光スプリッタキューブと、それぞれ前記第１、第２、及び第３の出射面に面するように配置される第１、第２、及び第３の画像センサと、前記偏向器と前記光スプリッタキューブの前記入射面との間の前記偏光された入射光の経路内に配置される光学レンズ系と、を有する、デジタルカメラと、
　を備え、
　前記画像センサのそれぞれは、マイクロレンズによって覆われているがカラーフィルタは伴わないフォトセルのアレイを有する透明な画像センサである、デバイス。
　　【請求項１９】
　前記外部筐体が、ｚ高さ６ｍｍ〜１３ｍｍを有する、請求項１８に記載のポータブル無線通信デバイス。
　　【請求項２０】
　平凹レンズであって、平面側は前記カメラシーンに面し、前記カメラシーンからの入射光を前記偏向器まで移動するように配置される、平凹レンズと、
　凹凸レンズであって、凸状側は前記偏向器に面し、前記偏向器と前記光学レンズ系との間に配置される、凹凸レンズと、
　を更に備える、請求項１８に記載のポータブル無線通信デバイス。
　　【請求項２１】
　前記第１、第２、及び第３の色成分が、加法混色の原色成分である、請求項１８に記載のポータブル無線通信デバイス。
　　【請求項２２】
　前記第１、第２、及び第３の色成分が、青色、緑色、及び赤色成分である、請求項２１に記載のポータブル無線通信デバイス。」
　　
を、次のとおり補正後の請求項１〜２１に補正するものである。
　　
「　【請求項１】
　デジタルカメラのコンポーネントであって、
　カメラシーンからの入射光を受け取る入射面を有する光スプリッタキューブであって、入射光を、前記光スプリッタキューブから、前記光スプリッタキューブの第１の面、第２の面、及び第３の面を通ってそれぞれ出てくる、第１、第２、及び第３の色成分に分離する、光スプリッタキューブと、
　第１、第２、及び第３の画像センサであって、前記画像センサのそれぞれが、前記光スプリッタキューブの前記第１の面、前記第２の面、及び前記第３の面から出てくる前記色成分のうちの対応する１つを受け取るように配置される、画像センサと、
　を備え、
　前記画像センサのそれぞれは、
ａ）
り
ｂ）前記センサの背後に配置されたプリント回路支持体に電気的に接続されており、ｃ）前記センサの前方に配置された透明なカバープレートであって、前記カバープレートと前記マイクロレンズとの間に空隙を残すカバープレート、によって保護されており、
　
前記透明なカバープレートは前記光スプリッタキューブの前記第１の面、前記第２の面、及び前記第３の面のうちの一つに結合されている、
　　【請求項２】
　前記光スプリッタキューブが、本質的に同一サイズの第１、第２、第３、及び第４の透明な多面体を備え、前記透明な多面体のそれぞれは、直角二等辺三角形の底部、直角二等辺三角形の頂部、及び当該直角二等辺三角形の底部及び当該直角二等辺三角形の頂部の対応する辺を結合する３つの面を有し、前記３つの面は斜辺面、左脚面、及び右脚面である、請求項１に記載のデジタルカメラのコンポーネント。
　　【請求項３】
　前記第１の透明な多面体の前記斜辺面が、前記光スプリッタキューブの前記入射面であり、
　前記第１の透明な多面体の前記右脚面が、前記第２の透明な多面体の前記左脚面に第１のダイクロイック界面において隣接し、前記第１のダイクロイック界面が、前記第３の色成分を前記第１の透明な多面体内に反射し、前記第１及び第２の色成分を前記第２の透明な多面体内へ透過させ、
　前記第１の透明な多面体の左脚面が、前記第４の透明な多面体の前記右脚面に第２のダイクロイック界面において隣接し、前記第２のダイクロイック界面が、前記第１の色成分を前記第１の透明な多面体内に反射し、前記第２及び第３の色成分を前記第４の透明な多面体内へ透過させる、請求項２に記載のデジタルカメラのコンポーネント。
　　【請求項４】
　前記カメラシーンからの前記入射光を偏向させるように配置される偏向器と、
　前記偏向器と前記光スプリッタキューブの前記入射面との間の偏向入射光の経路内に配置される光学レンズ系と、を更に備える、請求項１に記載のデジタルカメラのコンポーネント。
　　【請求項５】
　前記偏向器が、前記入射光を約９０度だけ偏向するように方向付けられている、請求項４に記載のデジタルカメラのコンポーネント。
　　【請求項６】
　前記偏向器、光学レンズ系、光スプリッタキューブ、及び画像センサのｚ高さが、３ｍｍ〜９ｍｍの範囲である、請求項４に記載のデジタルカメラのコンポーネント。
　　【請求項７】
　前記偏向器、光学レンズ系、光スプリッタキューブ、及び画像センサのｘ長さが、１８ｍｍ〜３２ｍｍの範囲である、請求項６に記載のデジタルカメラのコンポーネント。
　　【請求項８】
　前記光学レンズ系が、ズームレンズである、請求項４に記載のデジタルカメラのコンポーネント。
　　【請求項９】
　前記光学レンズ系が、自動焦点レンズである、請求項４に記載のデジタルカメラのコンポーネント。
　　【請求項１０】
　前記光学レンズ系が、固定焦点レンズである、請求項４に記載のデジタルカメラのコンポーネント。
　　【請求項１１】
　前記偏向器が、電動アクチュエータによって自動制御下で傾斜又は回転されるように結合された折り畳みミラーを光学画像安定化（ＯＩＳ）メカニズムの一部として備える、請求項４に記載のデジタルカメラのコンポーネント。
　　【請求項１２】
　デジタルカメラモジュールであって、
　前記デジタルカメラモジュールを内部に組み込んだ、カメラモジュール筐体と、
　カメラシーンからの入射光を偏向するように配置される偏向器と、
　偏向された入射光を受け取る入射面を有する光スプリッタキューブであって、前記偏向された入射光を第１、第２、及び第３の色成分に分離し、本質的に同一の第１、第２、第３、及び第４の透明な多面体から構成され、前記透明な多面体のそれぞれが、直角二等辺三角形の底部、直角二等辺三角形の頂部、並びに前記直角二等辺三角形の底部及び前記直角二等辺三角形の頂部の対応する辺を結合する３つの面を有し、前記３つの面が、斜辺面、左脚面、及び右脚面であり、前記第１の透明な多面体の前記斜辺面は前記光スプリッタキューブの前記入射面であり、前記第１の透明な多面体の前記右脚面が、前記第２の透明な多面体の前記左脚面に第１のダイクロイック界面において隣接し、前記第１のダイクロイック界面が、前記第３の色成分を前記第１の透明な多面体内に反射し、前記第１及び第２の色成分を前記第２の透明な多面体内へ透過させ、前記第１の透明な多面体の前記左脚面が、前記第４の透明な多面体の前記右脚面に第２のダイクロイック界面において隣接し、前記第２のダイクロイック界面が、前記第１の色成分を前記第１の透明な多面体内に反射し、前記第２及び第３の色成分を前記第４の透明な多面体内へ透過させ、前記光スプリッタキューブが、更に、第１の出射面、第２の出射面、及び第３の出射面を有する、光スプリッタキューブと、
　第１、第２、及び第３の画像センサであって、それぞれ前記第１、第２、及び第３の出射面に面するように配置される第１、第２、及び第３の画像センサと、
　前記偏向器と前記光スプリッタキューブの前記入射面との間の前記偏光された入射光の経路内に配置される光学レンズ系と、
　を備え
、
　
前記画像センサのそれぞれは、ａ）マイクロレンズによって覆われているがカラーフィルタは伴わないフォトセルのアレイを有する透明な画像センサであり、ｂ）前記センサの背後に配置されたプリント回路支持体に電気的に接続されており、ｃ）前記センサの前方に配置された透明なカバープレートであって、前記カバープレートと前記マイクロレンズとの間に空隙を残すカバープレート、によって保護されており、
　
前記透明なカバープレートは前記光スプリッタキューブの前記第１の面、前記第２の面、及び前記第３の面のうちの一つに結合されてい
　　【請求項１３】
　前記偏向器が、前記入射光を約９０度だけ偏向するように方向付けられている、請求項
１２
　　【請求項１４】
　前記偏向器、光学レンズ系、光スプリッタキューブ、及び画像センサのｚ高さが、３ｍｍ〜９ｍｍの範囲である、請求項
１３
　　【請求項１５】
　前記偏向器、光学レンズ系、光スプリッタキューブ、及び画像センサのｘ長さが、１８ｍｍ〜３２ｍｍの範囲である、請求項
１３
　　【請求項１６】
　平凹レンズであって、平面側が、前記カメラシーンに面し、前記カメラシーンからの前記入射光を前記偏向器まで移動するように配置される、平凹レンズと、
　凹凸レンズであって、凸状側が、前記偏向器に面し、前記偏向器と前記光学レンズ系との間に配置される、凹凸レンズと、
　を更に備える、請求項
１３
　　【請求項１７】
　ポータブル無線通信デバイスであって、
　外部筐体と、
　前記外部筐体の内部に組み込まれたセルラーネットワーク無線通信回路構成と、
　前記外部筐体の内部に組み込まれたデジタルカメラであって、カメラシーンからの入射光を約９０度だけ偏向するように配置される偏向器と、偏向光を受け取る入射面を有する光スプリッタキューブであって、偏光された入射光を、第１の出射面、第２の出射面、及び第３の出射面を通ってそれぞれ出てくる、第１、第２、及び第３の色成分に分離する、光スプリッタキューブと、それぞれ前記第１、第２、及び第３の出射面に面するように配置される第１、第２、及び第３の画像センサと、前記偏向器と前記光スプリッタキューブの前記入射面との間の前記偏光された入射光の経路内に配置される光学レンズ系と、を有する、デジタルカメラと、
　を備え、
　前記画像センサのそれぞれは、
ａ）
り、ｂ）前記センサの背後に配置されたプリント回路支持体に電気的に接続されており、ｃ）前記センサの前方に配置された透明なカバープレートであって、前記カバープレートと前記マイクロレンズとの間に空隙を残すカバープレート、によって保護されており、
　
前記透明なカバープレートは前記光スプリッタキューブの前記第１の面、前記第２の面、及び前記第３の面のうちの一つに結合されてい
　　【請求項１８】
　前記外部筐体が、ｚ高さ６ｍｍ〜１３ｍｍを有する、請求項
１７
　　【請求項１９】
　平凹レンズであって、平面側は前記カメラシーンに面し、前記カメラシーンからの入射光を前記偏向器まで移動するように配置される、平凹レンズと、
　凹凸レンズであって、凸状側は前記偏向器に面し、前記偏向器と前記光学レンズ系との間に配置される、凹凸レンズと、
　を更に備える、請求項
１７
　　【請求項２０】
　前記第１、第２、及び第３の色成分が、加法混色の原色成分である、請求項
１７
　　【請求項２１】
　前記第１、第２、及び第３の色成分が、青色、緑色、及び赤色成分である、請求項
２０
　　
２　補正の適合性 
（１）新規事項、発明の特別な技術的特徴の変更、補正の目的 
　本件補正は、補正前の請求項１、１３、１８における「画像センサ」が「ｂ）前記センサの背後に配置されたプリント回路支持体に電気的に接続されており、ｃ）前記センサの前方に配置された透明なカバープレートであって、前記カバープレートと前記マイクロレンズとの間に空隙を残すカバープレート、によって保護されており、
　前記透明なカバープレートは前記光スプリッタキューブの前記第１の面、前記第２の面、及び前記第３の面のうちの一つに結合されている」ことを限定するもの、及び補正前の請求項１２を削除し、それに伴い、項番を繰り上げるものである。
　本件補正は、願書に最初に添付された明細書の段落【０００３】、【００２２】−【００２３】、図７に基づくものであり、願書に最初に添付された明細書に記載された事項の範囲内である。
　また、本件補正は、発明の特別な技術的特徴を変更する補正ではない。
　さらに、本件補正は、特許請求の範囲の減縮を目的とするものと認められる。
　　
（２）独立特許要件 
　上記のとおり本件補正は特許請求の範囲の減縮を目的としているので、本件補正後における発明が特許出願の際独立して特許を受けることができるものであるか否かを、以下に検討する。
 　 
（３）補正後発明 
　補正後の請求項１〜２１に係る発明のうち請求項１に係る発明は、次のとおりのものである（この発明を以下「補正後発明」という。）。
　　
（補正後発明）
「（Ａ）デジタルカメラのコンポーネントであって、
（Ｂ）カメラシーンからの入射光を受け取る入射面を有する光スプリッタキューブであって、入射光を、前記光スプリッタキューブから、前記光スプリッタキューブの第１の面、第２の面、及び第３の面を通ってそれぞれ出てくる、第１、第２、及び第３の色成分に分離する、光スプリッタキューブと、
（Ｃ）第１、第２、及び第３の画像センサであって、前記画像センサのそれぞれが、前記光スプリッタキューブの前記第１の面、前記第２の面、及び前記第３の面から出てくる前記色成分のうちの対応する１つを受け取るように配置される、画像センサと、
　を備え、
（Ｃ-1）前記画像センサのそれぞれは、ａ）マイクロレンズによって覆われているがカラーフィルタは伴わないフォトセルのアレイを有する透明な画像センサであり、
（Ｃ-2）ｂ）前記センサの背後に配置されたプリント回路支持体に電気的に接続されており、
（Ｃ-3）ｃ）前記センサの前方に配置された透明なカバープレートであって、前記カバープレートと前記マイクロレンズとの間に空隙を残すカバープレート、によって保護されており、
（Ｃ-4）前記透明なカバープレートは前記光スプリッタキューブの前記第１の面、前記第２の面、及び前記第３の面のうちの一つに結合されている、
（Ｄ）コンポーネント。」
　　
（（Ａ）〜（Ｄ）は、当審で付与した。以下各構成要件を「構成要件Ａ」等という。）
　　
（４）引用文献の記載及び引用文献に記載された発明
ア　引用文献１
（ア）引用文献１の記載
　原査定の拒絶の理由に引用された特開２００８−２２４９０８号公報（上記引用文献１、以下「引用文献１」という。）には、「結像光学系、光学機器、および結像方法」（発明の名称）に関し、図面と共に次に掲げる事項が記載されている（下線は当審で付与した。）。
　　
「　【００２０】
　以下、本願の好ましい実施形態について図を参照しながら説明する。本願発明に係る結像光学系を備えたデジタルスチルカメラＣＡＭが図１に示されている。この
デジタルスチルカメラ
は
カメラ本体
に内蔵された
物体（被写体）の像を色分解により３つ
の色分解像に分解して当該３つの色分解像をそれぞれの像面
上に分けて結像させる結像光学系
と、各像面
にそれぞれ配設された３つの固体撮像素子
構成される
結像光学系
と各像面
との間には、ローパスフィルタや赤外カットフィルタ等から構成されるフィルタ群
が配設される
　【００２１】
　
結像光学系
は、複数のレンズ群から構成されるズームレンズ
物体側からズームレンズ
を透過した光を色分解する色分解光学素子
とを備えて構成される
　【００２２】
　
色分解光学素子
ＸＹ平面における断面形状が正方形の断面を有する直方体形に形成され、内部に色分解面である第１および第２ダイクロイックミラー面
を有している
　【００２３】
　このように構成される結像光学系ＳＹＳにおいて、
物体（被写体）からの光がズームレンズ
を
透過して色分解光学素子
に入射する
色分解光学素子
に入射した光は、
Ｇ（緑）の光による色分解像が第１像面
で結像される。
Ｂ（青）の光による色分解像が第２像面
で結像される
　【００２４】
　そして、Ｒ、Ｇ、Ｂ（赤、緑、青）のうちＲ（赤）の光は、第１および第２ダイクロイックミラー面Ｍ１，Ｍ２を透過し、
Ｒ（赤）の光による色分解像が第３像面
で結像される
　　
「【図１】
」
　　
「【図２】
」
　　
「【図３】
」
（イ）引用文献１に記載された発明
　段落【００２０】によると、『デジタルスチルカメラは、カメラ本体に内蔵された、被写体の像を色分解により３つの色分解像に分解して当該３つの色分解像をそれぞれの像面上に分けて結像させる結像光学系と、各像面にそれぞれ配設された３つの固体撮像素子とにより構成され』、『結像光学系と各像面との間には、ローパスフィルタや赤外カットフィルタ等から構成されるフィルタ群が配設され』る。
　　
　段落【００２１】によると、『結像光学系は、複数のレンズ群から構成されるズームレンズと、物体側からズームレンズを透過した光を色分解する色分解光学素子とを備えて構成され』る。
　　
　段落【００２２】によると、『色分解光学素子は、ＸＹ平面における断面形状が正方形の断面を有する直方体形に形成され、内部に色分解面である第１および第２ダイクロイックミラー面を有』する。
　　
　段落【００２３】、【００２４】によると、『被写体からの光がズームレンズを透過して色分解光学素子に入射し、色分解光学素子に入射した光は、緑の光による色分解像が第１像面で結像され、青の光による色分解像が第２像面で結像され、赤の光による色分解像が第３像面で結像される』。
　　
　以上より、引用文献１には、次の発明が記載されていると認められる。（この発明を以下「引用発明」という。）
　　
（引用発明）
（ａ）デジタルスチルカメラであって、
（ｂ）デジタルスチルカメラは、カメラ本体に内蔵された、被写体の像を色分解により３つの色分解像に分解して当該３つの色分解像をそれぞれの像面上に分けて結像させる結像光学系と、各像面にそれぞれ配設された３つの固体撮像素子とにより構成され、
（ｃ）結像光学系と各像面との間には、ローパスフィルタや赤外カットフィルタ等から構成されるフィルタ群が配設され、
（ｄ）結像光学系は、複数のレンズ群から構成されるズームレンズと、物体側からズームレンズを透過した光を色分解する色分解光学素子とを備えて構成され、
（ｅ）色分解光学素子は、ＸＹ平面における断面形状が正方形の断面を有する直方体形に形成され、内部に色分解面である第１および第２ダイクロイックミラー面有し、
（ｆ）被写体からの光がズームレンズを透過して色分解光学素子に入射し、色分解光学素子に入射した光は、緑の光による色分解像が第１像面で結像され、青の光による色分解像が第２像面で結像され、赤の光による色分解像が第３像面で結像される、
（ｇ）デジタルスチルカメラ。
　　
（（ａ）〜（ｇ）は、引用発明の構成を区別するために付与した。以下各構成を「構成ａ」等という。）
　　
イ　引用文献Ａ
（ア）引用文献Ａの記載
　特開平２−２４４９９３号公報（以下「引用文献Ａ」という。）には、「ビデオ装置」（発明の名称）に関し、図面と共に次に掲げる事項が記載されている（下線は当審で付与した。）。
　　
「［実施例］
以下、第１図〜第３図を使って本発明をカラーテレビカメラに適用した第１実施例を説明する。
図中、１は像分解プリズムで、コンポネント・プリズム１ａ，１ｂ，１ｃを組合わせて構成されており、各コンポネント・プリズム間にダイクロイック膜が配される。分解プリズムの構成は周知であるから詳しい説明を省く。Ｌは、図式的に描いた撮影レンズから来る撮影光束である。
２はカラートリミングフィルターで、像分解プリズムの各射出面に接着されている。３は固体撮像素子である。４は取付用ガラス板で、像分解プリズム１あるいはトリミングフィルターと同一又は類似の線膨張係数を持つ
本例はトリミングフィルターの上に取付用ガラス板を接着しているが、トリミングフィルター自体であっても良いし、トリミングフィルターのフィルター作用をプリズムの射出面に蒸着する多層干渉薄膜で代用すれば、プリズムの射出面に直接取付用ガラス板を接着しても良い
　　
「
」
　　
「
」
　　
（イ）引用文献Ａに記載された技術
　引用文献Ａには、像分解プリズムの各射出面に、取付けガラスを有する固体撮像素子を接続することが記載されている。さらに、トリミングフィルターを多層干渉膜で代用すれば、プリズムの射出面に直接取付けガラス板を接着しても良いことも記載されている。
　したがって、引用文献Ａには、『像分解プリズムの各射出面に、取付けガラスを有する固体撮像素子を接続する』技術、及び『トリミングフィルターを多層干渉膜で代用して、プリズムの射出面に直接取付けガラス板を接続する』技術が記載されていると認められる。（この技術を以下「引用発明Ａの技術」という。）
（５）対比
ア　補正後発明と引用発明との対比
　補正後発明と引用発明とを対比する。
　　
（ア）構成要件Ａと構成ａ、ｂとを対比する。
　引用発明における「デジタルスチルカメラ」は、「カメラ本体に内蔵された、被写体の像を色分解により３つの色分解像に分解して当該３つの色分解像をそれぞれの像面上に分けて結像させる結像光学系と、各像面にそれぞれ配設された３つの固体撮像素子とにより構成され」、結像光学系と３つの固体撮像素子により構成されるから、「デジタルカメラのコンポーネント」といえる。
　したがって、補正後発明と引用発明とは「デジタルカメラのコンポーネント」として一致する。
　　
（イ）構成要件Ｂと構成ｄ、ｅ、ｆとを対比する。
　引用発明の「色分解光学素子」は、「ＸＹ平面における断面形状が正方形の断面を有する直方体形に形成され」（構成ｅ）るから、「光スプリッタキューブ」といえる。
　また、引用発明の「色分解光学素子」は、「物体側からズームレンズを透過した光を色分解する」（構成ｄ）、「被写体からの光がズームレンズを透過して色分解光学素子に入射」（構成ｆ）するから、「カメラシーンからの入射光を受け取る入射面を有する光スプリッタキューブ」といえる。
　さらに、「色分解光学素子に入射した光は、緑の光による色分解像が第１像面で結像され、青の光による色分解像が第２像面で結像され、赤の光による色分解像が第３像面で結像される」（構成ｆ）から、「入射光を、前記光スプリッタキューブから、前記光スプリッタキューブの第１の面、第２の面、及び第３の面を通ってそれぞれ出てくる、第１、第２、及び第３の色成分に分離する」といえる。
　したがって、補正後発明と引用発明とは、「カメラシーンからの入射光を受け取る入射面を有する光スプリッタキューブであって、入射光を、前記光スプリッタキューブから、前記光スプリッタキューブの第１の面、第２の面、及び第３の面を通ってそれぞれ出てくる、第１、第２、及び第３の色成分に分離する、光スプリッタキューブ」を備える点で一致する。
　　
（ウ）構成要件Ｃと構成ｂ、ｄ、ｆとを対比する。
　上記（２）のとおり、補正後発明と引用発明とは、「カメラシーンからの入射光を受け取る入射面を有する光スプリッタキューブであって、入射光を、前記光スプリッタキューブから、前記光スプリッタキューブの第１の面、第２の面、及び第３の面を通ってそれぞれ出てくる、第１、第２、及び第３の色成分に分離する、光スプリッタキューブ」を備える点で一致し、構成ｆの「第１像面」、「第２像面」、「第３像面」は、それぞれ、補正後発明の「第１の面」、「第２の面」、「第３の面」に相当するから、構成ｂの「各像面にそれぞれ配設された３つの固体撮像素子」は、構成要件Ｃの「第１、第２、及び第３の画像センサ」に相当する。
　したがって、補正後発明と引用発明とは、「第１、第２、及び第３の画像センサであって、前記画像センサのそれぞれが、前記光スプリッタキューブの前記第１の面、前記第２の面、及び前記第３の面から出てくる前記色成分のうちの対応する１つを受け取るように配置される、画像センサ」を備える点で一致する。
　　
（エ）構成要件Ｃ-1について
　まず、「カラーフィルタは伴わないフォトセルのアレイを有する透明な画像センサ」について検討する。
　「画像センサ」は通常「透明」ではないが、「透明な画像センサ」がどのようなものか本願明細書の記載をみると、段落【０００３】には、「画像センサは、カラーフィルタアレイも色分解能力もない透明な画素アレイセンサであっても良」いの記載があり、「カラーフィルタアレイも色分解能力もない」画素アレイを「透明な画素アレイ」としていることからして、「透明な画素センサ」は、カラーフィルタアレイも色分解能力もない画素センサを意味していると認められる。
　一方、引用発明の固体撮像素子（構成ｂ）は、色分解素子からの光を受光するものであるから、カラーフィルタがないものと認められ、補正後発明の「透明な画素センサ」に相当する。
　また、固体撮像素子は、フォトセルのアレイを有するものである。
　したがって、補正後発明と引用発明とは、「前記画像センサのそれぞれは、カラーフィルタは伴わないフォトセルのアレイを有する透明な画像センサであ」る点で共通する。
　しかしながら、「画像センサ」が、補正後発明においては、「マイクロレンズによって覆われている」のに対し、引用発明においては、「マイクロレンズによって覆われている」と特定されていない点で相違する。
　　
（オ）構成要件Ｃ-2について
　「画像センサ」が、引用発明においては、「前記センサの背後に配置されたプリント回路支持体に電気的に接続されて」いると特定されていない点で、補正後発明と相違する。
　　
（カ）構成要件Ｃ-3、Ｃ-4について
　「画像センサ」が、引用発明においては、「前記センサの前方に配置された透明なカバープレートであって、前記カバープレートと前記マイクロレンズとの間に空隙を残すカバープレート、によって保護されており、前記透明なカバープレートは前記光スプリッタキューブの前記第１の面、前記第２の面、及び前記第３の面のうちの一つに結合されている」と特定されていない点で、補正後発明と相違する。　
　　
（キ）構成要件Ｄと構成ｇとを対比する。
　上記（１）のとおり、補正後発明と引用発明とは「デジタルカメラのコンポーネント」として一致するから、補正後発明と引用発明とは「コンポーネント」として一致する。
　　
イ　一致点、相違点
　以上より、補正後発明と引用発明との一致点、相違点は次のとおりである。
　　
（一致点）
「デジタルカメラのコンポーネントであって、
　カメラシーンからの入射光を受け取る入射面を有する光スプリッタキューブであって、入射光を、前記光スプリッタキューブから、前記光スプリッタキューブの第１の面、第２の面、及び第３の面を通ってそれぞれ出てくる、第１、第２、及び第３の色成分に分離する、光スプリッタキューブと、
　第１、第２、及び第３の画像センサであって、前記画像センサのそれぞれが、前記光スプリッタキューブの前記第１の面、前記第２の面、及び前記第３の面から出てくる前記色成分のうちの対応する１つを受け取るように配置される、画像センサと、
　を備え、
　前記画像センサのそれぞれは、カラーフィルタは伴わないフォトセルのアレイを有する透明な画像センサである、
　コンポーネント。」
　　
（相違点１）
　「画像センサ」が、補正後発明においては、「マイクロレンズによって覆われている」のに対し、引用発明においては、「マイクロレンズによって覆われている」と特定されていない点
　　
（相違点２）
　「画像センサ」が、補正後発明においては、「前記センサの背後に配置されたプリント回路支持体に電気的に接続されて」いると特定されているのに対し、引用発明においては、そのように特定されていない点
　　
（相違点３）
　「画像センサ」が、補正後発明においては、「前記センサの前方に配置された透明なカバープレートであって、前記カバープレートと前記マイクロレンズとの間に空隙を残すカバープレート、によって保護されており、前記透明なカバープレートは前記光スプリッタキューブの前記第１の面、前記第２の面、及び前記第３の面のうちの一つに結合されている」と特定されているのに対し、引用発明においては、そのように特定されていない点
　　
（６）相違点の判断等 
　上記（４）イ（イ）のとおり、引用文献Ａには、『像分解プリズムの各射出面に、取付けガラスを有する固体撮像素子を接続する』技術、及び『トリミングフィルターを多層干渉膜で代用して、プリズムの射出面に直接取付けガラス板を接続する』技術が記載されている。
　引用文献Ａの技術は、光学素子からの出力を画像センサにより受け取る技術として引用発明と同じ技術分野であるから、引用発明に引用文献Ａの技術を適用することは、当業者が容易に着想することである。引用発明においては、画像センサ（固体撮像素子）はカラーフィルタがないから、引用発明に引用文献Ａの技術を適用すると、光スプリッタキューブの第１の面、第２の面、第３の面に画像センサを結合することとなる。（相違点３）
　　
　また、マイクロレンズ、カバーガラスを有し、マイクロレンズとカバーガラスとの間に空隙がある画像センサは周知の技術（特開２０１０−９８０６６号証の段落【０００４】、図２、特開２００５−３４７３９７号公報の段落【００１６】−【００１７】、図４、図５、特開２００４−１５４２７号公報の段落【００１１】、図２等参照）であり、また、画像センサの背後に接続されたプリント基板に電気的に接続することは、周知の技術（特開２００８−１３１２２８号公報の段落【００３４】、図２等参照）である。
　　
　そうすると、引用発明に引用文献Ａの技術を適用し、その際に上記周技術を勘案して、引用発明において、「画像センサ」を
　「前記センサの前方に配置された透明なカバープレートであって、前記カバープレートと前記マイクロレンズとの間に空隙を残すカバープレート、によって保護されており、前記透明なカバープレートは前記光スプリッタキューブの前記第１の面、前記第２の面、及び前記第３の面のうちの一つに結合されている」ようにし（相違点３）、
　「マイクロレンズによって覆われ」るようにし（相違点１）、
　「前記センサの背後に配置されたプリント回路支持体に電気的に接続され」るようにする（相違点２）ことは、当業者が容易に想到し得ることである。
　　
　なお、請求人は、審判請求書において、引用発明には、色分解光学素子と固体撮像素子との間にフィルタ群があり、カバープレートが第１の面等に結合することにならない旨主張する。
　しかしながら、フィルタ群があっても、色分解光学素子（光スプリッタキューブに相当）からの色成分は固体撮像素子（画像センサに相当）に入力されるものであって、色分解光学素子の面とカバープレートは結合されているといえることは上記のとおりである。
　また、仮に、「結合されている」の文言が直接結合されていることを意味しているとしても、ローパスフィルタ、赤外カットフィルタ等を色分解素子の前に配置することが周知の技術である（特開平６−２９２２０７号公報の段落【００１３】、図１、特開２００４−２５８４９７号公報の段落【０００５】、図５等参照）から、引用発明に引用文献Ａの技術を適用する際に、上記周知技術を勘案して、引用発明において、フィルタを色分解光学素子の前に配置することにより、光スプリッタキューブの面に画像センサを直接接続するようにすることは、当業者が容易に想到し得ることである。
　したがって、請求人の主張は採用できない。
　　
　そして、補正後発明が奏する効果は、その容易想到である構成から当業者が容易に予測し得る範囲内のものであり、同範囲を超える顕著なものでもない。
　　
　したがって、補正後発明は、引用文献１、引用文献Ａに記載された発明及び周知技術に基づいて当業者が容易に発明することができたものであるから、特許法２９条２項の規定により特許出願の際独立して特許を受けることができない。 
　よって、本件補正は、特許法第１７条の２第６項において準用する同法第１２６条第７項の規定に違反している。
 　 
３　まとめ 
　したがって、本件補正は、特許法第１７条の２第６項において準用する同法第１２６条第７項の規定に違反するので、同法第１５９条第１項において読み替えて準用する同法第５３条第１項の規定により却下すべきものである。
　よって、補正却下の決定の結論のとおり決定する。
 　 
第３　本願発明について 
１　本願発明 
　平成２８年４月２５日付けの手続補正は、上記のとおり却下されたので、本願の請求項１〜２２に係る発明は、平成２７年８月４日付け手続補正により補正された明細書、特許請求の範囲及び図面の記載からみて、その特許請求の範囲の請求項１〜２２に記載した事項により特定されるとおりのものであるところ、請求項１に係る発明は、次のとおりのものである（この発明を以下「本願発明」という。）。
　　
（本願発明）
「（Ａ）デジタルカメラのコンポーネントであって、
（Ｂ）カメラシーンからの入射光を受け取る入射面を有する光スプリッタキューブであって、入射光を、前記光スプリッタキューブから、前記光スプリッタキューブの第１の面、第２の面、及び第３の面を通ってそれぞれ出てくる、第１、第２、及び第３の色成分に分離する、光スプリッタキューブと、
（Ｃ）第１、第２、及び第３の画像センサであって、前記画像センサのそれぞれが、前記光スプリッタキューブの前記第１の面、前記第２の面、及び前記第３の面から出てくる前記色成分のうちの対応する１つを受け取るように配置される、画像センサと、
　を備え、
（Ｃ-1）前記画像センサのそれぞれは、マイクロレンズによって覆われているがカラーフィルタは伴わないフォトセルのアレイを有する透明な画像センサである、
（Ｄ）コンポーネント。」
　　
（（Ａ）〜（Ｄ）は、当審で付与した。各構成要件において、補正後発明と同じ構成要件には、同じ符号を付与した。）
　　
２　対比・判断
（１）対比
　原査定の拒絶の理由に引用された引用文献１の記載は上記第２の２（４）ア（ア）のとおりであり、引用発明は、上記第２の２（４）ア（イ）を援用する。
　本願発明は、補正後発明の構成要件Ｃ-2、Ｃ-3、Ｃ-4がないものであるから、本願発明と引用発明とを対比すると、一致点、相違点は、上記第２の２（５）イの一致点、相違点１のとおりである。
　ここで、相違点１を再掲する。
　　
（相違点１）
　「画像センサ」が、本願発明においては、「マイクロレンズによって覆われている」のに対し、引用発明においては、「マイクロレンズによって覆われている」と特定されていない点
　　
（２）判断
　マイクロレンズによって覆われている画像センサは、周知の技術である（上記引用文献５〜８等参照）から、引用発明に当該周知技術を適用して、引用発明の「画像センサ」を「マイクロレンズによって覆われている」画像センサとすることは、当業者が容易に想到し得ることである。
　したがって、本願発明は引用文献１に記載された発明及び周知技術に基づいて容易に発明できたものと認められる。
　　
３　むすび 
　以上のとおり、本願の請求項１に係る発明は、引用文献１に記載された発明及び周知技術に基づいて、当業者が容易に発明することができたものであるから、特許法第２９条第２項の規定により特許を受けることができない。
　したがって、請求項２〜２２に係る発明について検討するまでもなく、本願は拒絶されるべきものである。
　　
　よって、結論のとおり審決する。